【手続補正書】
【提出日】平成19年4月12日(2007.4.12)
【手続補正１】
【補正対象書類名】特許請求の範囲
【補正対象項目名】全文
【補正方法】変更
【補正の内容】
【特許請求の範囲】
【請求項１】
被験体において心筋梗塞後の心筋収縮不全を処置または予防するための薬学的組成物であって、有効量のカルモジュリンキナーゼＩＩ（ＣａＭＫＩＩ）のインヒビターを含む、薬学的組成物。
【請求項２】
前記ＣａＭＫＩＩのインヒビターが、配列番号２のペプチドを含むペプチドである、請求項１に記載の薬学的組成物。
【請求項３】
前記インヒビターが、配列番号２のペプチドである、請求項２に記載の薬学的組成物。
【請求項４】
前記ＣａＭＫＩＩのインヒビターが、配列番号４のペプチドを含むペプチドである、請求項１に記載の薬学的組成物。
【請求項５】
前記インヒビターが、配列番号４のペプチドである、請求項４に記載の薬学的組成物。
【請求項６】
前記ＣａＭＫＩＩのインヒビターが、配列番号６のペプチドを含むペプチドである、請求項１に記載の薬学的組成物。
【請求項７】
前記インヒビターが、配列番号６のペプチドである、請求項６に記載の薬学的組成物。
【請求項８】
前記インヒビターが、ＫＮ−９３である、請求項１に記載の薬学的組成物。
【請求項９】
前記インヒビターが、体重１キログラムあたり０．０５ｍｇ〜５．０ｍｇの用量で投与されるように処方される、請求項１に記載の薬学的組成物。
【請求項１０】
前記インヒビターが、体重１キログラムあたり０．３ｍｇ〜３．０ｍｇの用量で投与されるように処方される、請求項１に記載の薬学的組成物。
【請求項１１】
拡張型心筋症と診断された被験体において拡張型心筋症を処置または予防するための薬学的組成物であって、有効量のカルモジュリンキナーゼＩＩ（ＣａＭＫＩＩ）のインヒビターを含む、薬学的組成物。
【請求項１２】
前記ＣａＭＫＩＩのインヒビターが、配列番号２のペプチドを含むペプチドである、請求項１１に記載の薬学的組成物。
【請求項１３】
前記インヒビターが、配列番号２のペプチドである、請求項１２に記載の薬学的組成物。
【請求項１４】
前記ＣａＭＫＩＩのインヒビターが、配列番号４のペプチドを含むペプチドである、請求項１１に記載の薬学的組成物。
【請求項１５】
前記インヒビターが、配列番号４のペプチドである、請求項１４に記載の薬学的組成物。
【請求項１６】
前記ＣａＭＫＩＩのインヒビターが、配列番号６のペプチドを含むペプチドである、請求項１１に記載の薬学的組成物。
【請求項１７】
前記インヒビターが、配列番号６のペプチドである、請求項１６に記載の薬学的組成物。
【請求項１８】
前記インヒビターが、ＫＮ−９３である、請求項１１に記載の薬学的組成物。
【請求項１９】
前記インヒビターが、体重１キログラムあたり０．０５ｍｇ〜５．０ｍｇの用量で投与されるように処方される、請求項１１に記載の薬学的組成物。
【請求項２０】
前記インヒビターが、体重１キログラムあたり０．３ｍｇ〜３．０ｍｇの用量で投与されるように処方される、請求項１１に記載の薬学的組成物。
【請求項２１】
拡張型心筋症と診断された被験体において心筋収縮性を増加させるための薬学的組成物であって、有効量のＣａＭＫＩＩのインヒビターを含む、薬学的組成物。
【請求項２２】
前記ＣａＭＫＩＩのインヒビターが、配列番号２のペプチドを含むペプチドである、請求項２１に記載の薬学的組成物。
【請求項２３】
前記インヒビターが、配列番号２のペプチドである、請求項２２に記載の薬学的組成物。
【請求項２４】
前記ＣａＭＫＩＩのインヒビターが、配列番号４のペプチドを含むペプチドである、請求項２１に記載の薬学的組成物。
【請求項２５】
前記インヒビターが、配列番号４のペプチドである、請求項２４に記載の薬学的組成物。
【請求項２６】
前記ＣａＭＫＩＩのインヒビターが、配列番号６のペプチドを含むペプチドである、請求項２１に記載の薬学的組成物。
【請求項２７】
前記インヒビターが、配列番号６のペプチドである、請求項２６に記載の薬学的組成物。
【請求項２８】
前記インヒビターが、ＫＮ−９３である、請求項２１に記載の薬学的組成物。
【請求項２９】
前記インヒビターが、体重１キログラムあたり０．０５ｍｇ〜５．０ｍｇの用量で投与されるように処方される、請求項２１に記載の薬学的組成物。
【請求項３０】
前記インヒビターが、体重１キログラムあたり０．３ｍｇ〜３．０ｍｇの用量で投与されるように処方される、請求項２１に記載の薬学的組成物。
【請求項３１】
低下した心筋収縮性と診断された被験体において心筋収縮性を増加させるための薬学的組成物であって、有効量のＣａＭＫＩＩのインヒビターを含む、薬学的組成物。
【請求項３２】
前記ＣａＭＫＩＩのインヒビターが、配列番号２のペプチドを含むペプチドである、請求項３１に記載の薬学的組成物。
【請求項３３】
前記インヒビターが、配列番号２のペプチドである、請求項３２に記載の薬学的組成物。
【請求項３４】
前記ＣａＭＫＩＩのインヒビターが、配列番号４のペプチドを含むペプチドである、請求項３１に記載の薬学的組成物。
【請求項３５】
前記インヒビターが、配列番号４のペプチドである、請求項３４に記載の薬学的組成物。
【請求項３６】
前記ＣａＭＫＩＩのインヒビターが、配列番号６のペプチドを含むペプチドである、請求項３１に記載の薬学的組成物。
【請求項３７】
前記インヒビターが、配列番号６のペプチドである、請求項３６に記載の薬学的組成物。
【請求項３８】
前記インヒビターが、ＫＮ−９３である、請求項３１に記載の薬学的組成物。
【請求項３９】
前記インヒビターが、体重１キログラムあたり０．０５ｍｇ〜５．０ｍｇの用量で投与されるように処方される、請求項３１に記載の薬学的組成物。
【請求項４０】
前記インヒビターが、体重１キログラムあたり０．３ｍｇ〜３．０ｍｇの用量で投与されるように処方される、請求項３１に記載の薬学的組成物。
【請求項４１】
心筋梗塞後の心臓の構造的機能不全と診断された被験体において心筋収縮性を増加させるための薬学的組成物であって、有効量のＣａＭＫＩＩのインヒビターを含む、薬学的組成物。
【請求項４２】
前記ＣａＭＫＩＩのインヒビターが、配列番号２のペプチドを含むペプチドである、請求項４１に記載の薬学的組成物。
【請求項４３】
前記インヒビターが、配列番号２のペプチドである、請求項４２に記載の薬学的組成物。
【請求項４４】
前記ＣａＭＫＩＩのインヒビターが、配列番号４のペプチドを含むペプチドである、請求項４１に記載の薬学的組成物。
【請求項４５】
前記インヒビターが、配列番号４のペプチドである、請求項４４に記載の薬学的組成物。
【請求項４６】
前記ＣａＭＫＩＩのインヒビターが、配列番号６のペプチドを含むペプチドである、請求項４１に記載の薬学的組成物。
【請求項４７】
前記インヒビターが、配列番号６のペプチドである、請求項４６に記載の薬学的組成物。
【請求項４８】
前記インヒビターが、ＫＮ−９３である、請求項４１に記載の薬学的組成物。
【請求項４９】
前記インヒビターが、体重１キログラムあたり０．０５ｍｇ〜５．０ｍｇの用量で投与されるように処方される、請求項４１に記載の薬学的組成物。
【請求項５０】
前記インヒビターが、体重１キログラムあたり０．３ｍｇ〜３．０ｍｇの用量で投与されるように処方される、請求項４１に記載の薬学的組成物。
【請求項５１】
ＣａＭＫＩＩのインヒビターをコードする核酸を発現する、非ヒトトランスジェニック動物。
【請求項５２】
前記ＣａＭＫＩＩのインヒビターが、配列番号２のペプチドを含むペプチドである、請求項５１に記載の非ヒトトランスジェニック動物。
【請求項５３】
前記インヒビターが、配列番号２のペプチドである、請求項５２に記載の非ヒトトランスジェニック動物。
【請求項５４】
前記ＣａＭＫＩＩのインヒビターが、配列番号４のペプチドを含むペプチドである、請求項５１に記載の非ヒトトランスジェニック動物。
【請求項５５】
前記インヒビターが、配列番号４のペプチドである、請求項５４に記載の非ヒトトランスジェニック動物。
【請求項５６】
前記ＣａＭＫＩＩのインヒビターが、配列番号６のペプチドを含むペプチドである、請求項５１に記載の非ヒトトランスジェニック動物。
【請求項５７】
前記インヒビターが、配列番号６のペプチドである、請求項５６に記載の非ヒトトランスジェニック動物。
【請求項５８】
ＣａＭＫＩＩのインヒビターをコードする核酸およびカルシニューリンをコードする核酸を発現する、非ヒト二重トランスジェニック動物。
【請求項５９】
前記ＣａＭＫＩＩのインヒビターが、配列番号２のペプチドを含むペプチドである、請求項５８に記載の非ヒト二重トランスジェニック動物。
【請求項６０】
前記インヒビターが、配列番号２のペプチドである、請求項５９に記載の非ヒト二重トランスジェニック動物。
【請求項６１】
前記ＣａＭＫＩＩのインヒビターが、配列番号４のペプチドを含むペプチドである、請求項５８に記載の非ヒト二重トランスジェニック動物。
【請求項６２】
前記インヒビターが、配列番号４のペプチドである、請求項６１に記載の非ヒト二重トランスジェニック動物。
【請求項６３】
前記ＣａＭＫＩＩのインヒビターが、配列番号６のペプチドを含むペプチドである、請求項５８に記載の非ヒト二重トランスジェニック動物。
【請求項６４】
前記インヒビターが、配列番号６のペプチドである、請求項６３に記載の非ヒト二重トランスジェニック動物。
【請求項６５】
配列番号８のペプチドを含むペプチドをコードする核酸を発現する、非ヒトトランスジェニック動物。
【請求項６６】
前記トランスジェニック動物が、配列番号８のペプチドをコードする核酸を発現する、請求項６５に記載の非ヒトトランスジェニック動物。
【請求項６７】
構造的心臓疾患を処置し得る化合物を同定する方法であって、該方法は、以下：
ａ）請求項５１に記載の動物において心臓収縮性を測定する工程；
ｂ）請求項５１に記載の該動物に化合物を投与する工程；
ｃ）工程（ｂ）の該動物において心臓収縮性を測定する工程；および
ｄ）工程（ａ）の該動物における心臓収縮性と比較して、工程（ｂ）の該動物における心臓収縮性の増加を検出する工程、
を包含し、心臓収縮性の増加の検出により、構造的心臓疾患を処置し得る化合物が同定される、方法。
【請求項６８】
前記構造的心臓疾患が、拡張型心筋症または心筋収縮不全の少なくとも１つであり得る、請求項６７に記載の方法。
【請求項６９】
構造的心臓疾患を処置し得る化合物を同定する方法であって、該方法は、以下：  ａ）請求項５８に記載の動物において心臓収縮性を測定する工程；
ｂ）請求項５８に記載の該動物に化合物を投与する工程；
ｃ）工程（ｂ）の該動物において心臓収縮性を測定する工程；および
ｄ）工程（ａ）の該動物における心臓収縮性と比較して、工程（ｂ）の該動物における心臓収縮性の増加を検出する工程、
を包含し、心臓収縮性の増加の検出により、構造的心臓疾患を処置し得る化合物が同定される、方法。
【請求項７０】
前記構造的心臓疾患が、拡張型心筋症または心筋収縮不全の少なくとも１つであり得る、請求項６９に記載の方法。
【請求項７１】
構造的心臓疾患を処置し得る化合物を同定する方法であって、該方法は、以下：
ａ）請求項５１に記載の動物における脳ナトリウム利尿ペプチドを測定する工程；
ｂ）請求項５１に記載の該動物に化合物を投与する工程；
ｃ）工程（ｂ）の該動物における脳ナトリウム利尿ペプチドを測定する工程；および
ｄ）工程（ａ）該動物における脳ナトリウム利尿ペプチドと比較して、工程（ｂ）の該動物における脳ナトリウム利尿ペプチドの増加を検出する工程、
を包含し、脳ナトリウム利尿ペプチドの増加の検出により、構造的心臓疾患を処置し得る化合物が同定される、方法。
【請求項７２】
前記構造的心臓疾患が、拡張型心筋症または心筋収縮不全の少なくとも１つであり得る、請求項７１に記載の方法。
【請求項７３】
構造的心臓疾患を処置し得る化合物を同定する方法であって、該方法は、以下：
ａ）請求項５８に記載の動物における脳ナトリウム利尿ペプチドを測定する工程；
ｂ）請求項５８に記載の該動物に化合物を投与する工程；
ｃ）工程（ｂ）の該動物における脳ナトリウム利尿ペプチドを測定する工程；および
ｄ）工程（ａ）該動物における脳ナトリウム利尿ペプチドと比較して、工程（ｂ）の該動物における脳ナトリウム利尿ペプチドの増加を検出する工程、
を包含し、脳ナトリウム利尿ペプチドの増加の検出により、構造的心臓疾患を処置し得る化合物が同定される、方法。
【請求項７４】
前記構造的心臓疾患が、拡張型心筋症または心筋収縮不全の少なくとも１つであり得る、請求項７３に記載の方法。
【請求項７５】
心臓に対する虚血損傷を処置または予防するための組成物であって、有効量のＣａＭＫＩＩインヒビターを含む、組成物。
【請求項７６】
血流の遮断後の心臓への損傷または潜在的な損傷を処置または予防するための組成物であって、有効量のＣａＭＫＩＩインヒビターを含む、組成物。